(57)【特許請求の範囲】
【請求項１】
毛足に波を付与するためのヘアスタイリング装置であって、
前記毛足を収容するための室であって、前記毛足が前記室内に導かれる際に介する開口部、及び該開口部を閉じるための遮閉要素を有する室、
前記室内の第１形成部材、第２形成部材、及び、第３形成部材、
前記第１形成部材及び前記第２形成部材間の第１髪受け領域、及び、前記第２形成部材及び前記第３形成部材間の第２髪受け領域、
前記第１髪受け領域外の非作動位置、及び前記第１髪受け領域内の作動位置間を、前記第１形成部材に対して移動可能な第１駆動部材、
前記第２髪受け領域外の非作動位置、及び前記第２髪受け領域内の作動位置間を、前記第２形成部材に対して移動可能な第２駆動部材、
前記第１駆動部材及び前記第２駆動部材を移動させるための制御装置、
を有し、
前記第２駆動部材は、前記第１駆動部材に関連付けられて移動可能であり、前記第２駆動部材は、前記第１駆動部材が前記第１駆動部材の作動位置に移動した後にのみ、前記第２駆動部材の作動位置に移動する様に制御され、
前記第１駆動部材及び前記第２駆動部材は、前記遮閉要素が前記開口部を閉じた後にのみ、その作動位置へ移動するように制御される、ヘアスタイリング装置。
【請求項２】
前記第２形成部材は、前記第１形成部材に対して移動可能である、請求項１に記載のヘアスタイリング装置。
【請求項３】
前記第１駆動部材及び前記第２駆動部材は、それぞれの非作動位置と作動位置の間を直線状に移動する、請求項１または請求項２に記載のヘアスタイリング装置。
【請求項４】
前記第１駆動部材及び前記第２駆動部材は、それぞれの非作動位置と作動位置の間を円弧状に移動する、請求項１または請求項２に記載のヘアスタイリング装置。
【請求項５】
前記第１駆動部材及び前記第２駆動部材は、それぞれの非作動位置と作動位置の間を回転しながら移動する、請求項１または請求項２に記載のヘアスタイリング装置。
【請求項６】
毛足を前記室内に案内するための案内路を少なくとも１つ有する、請求項１〜５の内、何れか一項に記載のヘアスタイリング装置。
【請求項７】
前記室は端壁を有し、
前記案内路は、端壁が有する凹部によって提供される、請求項６に記載のヘアスタイリング装置。
【請求項８】
前記室は、少なくとも１つの壁を有し、該少なくとも１つの壁は、加熱器を有する、請求項１〜６の内、何れか一項に記載のヘアスタイリング装置。
【請求項９】
前記室の少なくとも一部は、第１柄部上に取り付けられた主部内に設けられ、
前記遮閉要素は、第２柄部上に取り付けられ、
前記第１及び第２柄部は、相互に移動可能であり、前記室の開状態及び閉状態を規定する、請求項１〜８の内、何れか一項に記載のヘアスタイリング装置。
【請求項１０】
順次移動する様に前記第１駆動部材に前記第２駆動部材が関連付けられている、請求項１〜９の内、何れか一項に記載のヘアスタイリング装置。
【請求項１１】
前記第２駆動部材の、その非作動位置からその作動位置への移動は、
前記第１駆動部材の、その非作動位置からその作動位置への移動が終了する前に開始可能である、
請求項１〜１０の内、何れか一項に記載のヘアスタイリング装置。
【請求項１２】
請求項１〜１１の内、何れか一項に記載のヘアスタイリング装置を用いた方法であって：
｛ｉ｝前記開口部を介して、前記形成部材及び前記駆動部材間の髪入口チャネル内に毛足を導く工程；
｛ｉｉ｝前記開口部を閉じるために、前記遮蔽要素を移動させる工程；
｛ｉｉｉ｝前記第１駆動部材をその非作動位置からその作動位置へ移動させると共に、前記毛足の一部を前記第１髪受け領域内へ送り、前記遮蔽要素が前記開口部を閉じた後にのみ、前記第１駆動部材がその作動位置へ移動するように制御される工程；
｛ｉｖ｝前記第２駆動部材をその非作動位置からその作動位置へ移動させると共に、前記毛足の別の一部分を前記第２髪受け領域内へ送る工程であって、前記第２駆動部材は、前記第１駆動部材が前記第１駆動部材の作動位置へ移動した後にのみ、前記第２駆動部材の作動位置に移動する様に制御される工程；及び
｛ｖ｝前記室を加熱する工程
を含む方法。
【発明の詳細な説明】
【技術分野】
【０００１】
本願発明は、ヘアスタイリング装置に関し、特に、ヘアウェービング装置に関する。
【背景技術】
【０００２】
国際公開第１９９５／２２９２０号には、本願の発明者によるヘアスタイリング装置が開示されている。国際公開第１９９５／２２９２０号は、ラテックス（ゴム製品）等の弾力性チューブに毛足を挿入することにより、該毛足（または一房の髪）をスタイリングする方法を開示する。上記弾力性チューブは、縦方向に伸ばされ、その端部は、上記毛足の各部分に固定される。上記弾力性チューブは、その中に固定された毛足が直ちに波形に矯正される様に収縮可能である。髪は、上記弾力性チューブから上記髪が外された後においても上記波形が維持される様に、上記弾力性チューブ内に挿入される前または後に処理することができる。
【０００３】
また、国際公開第１９９５／２２９２０号は、上記方法に用いる装置も開示する。本願発明者による後の出願である国際公開第１９９７／４６１３２号、国際公開第２０００／５７７４４号、国際公開第２０００／０８９６７号、及び国際公開第２０１２／１５３１１８号には、類似のヘアスタイリング方法に用いる改良された装置が記載されている。
【０００４】
上述した全ての文献は、毛足を波形にするものであり、ヘアウェービング装置として記載され得る。本願発明も同様に、毛足を波形にするものであるが、代替的な方法及び代替的な装置を用いる。
【０００５】
国際公開第２００９／０７７７４７号、国際公開第２０１２／０８０７５１号、及び国際公開第２０１３／１８６５４７号の各文献には、別のタイプのヘアスタイリング装置が記載されている。これらの文献は、毛足が波形というよりも巻き毛となる様に、毛足が細長部材の周りに巻かれる装置を開示するものである。
【０００６】
また、ヘアクリンパー（カールごて）は毛足を波形に矯正する。該ヘアクリンパーは、実質的に三角形状の一連の波形を各々が有する一組のプレート（板金）を有する。該プレートは、一方のプレートの波形の山頂部分が、他方のプレートの波形の谷底部分に適合し、逆も同様となる様に設計される。上記プレートは、通常、髪が所望のカールを有するスタイルとなる様に加熱される。一般的に、ヘアクリンパーにより形成される波形は、上述した特許文献に記載の方法及び装置により形成される波形よりも、振幅及び波長が遥かに小さい。
【０００７】
“ヘアウェーバー”は、相補う２つの加熱面の間に髪が挟まれる点においてヘアクリンパーと類似する製品である。上記ヘアウェーバーでは、上記相補う面は、通常、ユーザの髪がヘアクリンパーの形成する波よりもかなり大きな波となる様に、比較的大きな半径の曲率を有して湾曲する。この種の特別な製品は、毛足に生成される比較的大きなサイズの波を強調するために、“ジャンボウェーバー”または“ディープウェーバー”と呼ばれる。
【先行技術文献】
【特許文献】
【０００８】
【特許文献１】国際公開第１９９５／０２２９２０号
【特許文献２】国際公開第１９９７／０４６１３２号
【特許文献３】国際公開第２０００／０５７７４４号
【特許文献４】国際公開第２０００／０ｊ０８９６７号
【特許文献５】国際公開第２０１２／１５３１１８号
【特許文献６】国際公開第２００９／０７７７４７号
【特許文献７】国際公開第２０１２／０８０７５１号
【特許文献８】国際公開第２０１３／１８６５４７号
【発明の概要】
【０００９】
発明者は、毛足に波を生成するための代替的な装置を着想した。本願発明は、該装置、及び該装置の使用方法を対象とする。該装置及びその使用方法は、公知の方法及び装置に対して、以下の利点を有する。
【００１０】
本願発明によれば、毛足に波を付与するためのヘアスタイリング装置が提供される。該装置は、上記毛足を収容するための室（チャンバー）、該室内の第１形成部材及び第２形成部材、該第１形成部材及び第２形成部材間の第１髪受け領域、並びに、該第１形成部材及び第２形成部材に対して可動であり、かつ、上記毛足の一部を上記第１髪受け領域内に入れる様に構成された第１駆動部材を有する。
【００１１】
本願発明の最も簡易な態様では、上記装置は、２つの形成部材及び単一の駆動部材のみを有し、単一の波を毛足に付与することができる。しかしながら、好適な実施形態では、上記毛足に複数の波を付与するために、複数の髪受け領域を規定する複数の形成部材、及び複数の駆動部材が存在する。特に、上記装置は、第２形成部材及び第３形成部材の間に第２髪受け領域を有する第３形成部材、並びに、上記第２形成部材及び第３形成部材の間を移動する様に構成された第２駆動部材を有するものとしてもよい。該第２駆動部材は、上記毛足の他の部分を上記第２髪受け領域内に入れるために使用される。第４及び第５等の形成部材が、第３及び第４等の髪受け領域を規定するために追加されるものとしてもよい。上記第３及び第４等の髪受け領域内には、上記毛足の更に別の部分が、第３及び第４等の各駆動部材により入れられる。
【００１２】
上記毛足の各部分を上記各髪受け領域内に入れることも可能であるが、そのために必要な力は、比較的小さい。このため、波の形成中において、上記毛足には、小さな張力のみが付与される。上記毛足に対する大きな張力を回避することにより、髪がダメージを受ける可能性が減少する。
【００１３】
上記室は、波の形成過程中に上記毛足を収容するために設けられる。上記室の１つ以上の壁が加熱されることにより、上記波の形成過程中に上記毛足が加熱されるものとしてもよい。好適な実施形態では、上記波の形成過程中において上記毛足の何れの部分も挟まれないため、髪がダメージを受ける可能性は減少するか、回避される。従って、幾つかの実施形態においては、上記毛足は、上記室の使用中にその壁に係合するものとしてもよいが、上記室内に保持するために、上記毛足が、上記壁に固定される必要は無い。このため、本願発明は、室を設けることにより、加熱面の間に毛足を挟むことにより機能する、従来技術に係るヘアクリンパー及びヘアウェーバーと区別される。
【００１４】
一実施形態に係る上記装置は、第１部分及び第２部分を有する。上記第１部分は、幾つかの第１支柱を有する形成部材を支持し、上記第２部分は、幾つかの第２支柱を有する駆動部材を支持する。上記第１部分及び上記第２部分は、上記第１支柱及び上記第２支柱が分離される非作動位置、並びに、上記第１支柱及び上記第２支柱が互いにすれ違った作動位置間において、相互に移動可能である。上記作動位置において、上記第１部分及び上記第２部分が共に、上記第１支柱及び上記第２支柱（及び使用時には毛足）が配置される上記室を規定する様に、上記第１部分及び上記第２部分は、上記室内に配置されるものとしてもよいし、または、その各々が壁（または部分的な壁）を有するものとしてもよい。
【００１５】
好適には、上記駆動部材及び上記形成部材は、同様に形成される。その様な実施形態では、髪受け領域が、隣接する形成部材の各組間に設けられ、かつ、類似の髪受け領域も、隣接する駆動部材の各組間に設けられる。このため、上記形成部材は、駆動部材としても作用可能であり、反対に、上記駆動部材は、形成部材としても作用可能である。
【００１６】
好適には、上記室は、開状態及び閉状態を有する。上記室は、理想的には、上記毛足を上記室内に導くことの可能な開口部を遮閉する若しくは覆い隠すための遮閉（クロージャ）要素またはパネルを有する。遮閉要素は、３つの主な目的を有する。第一に、上記室が加熱される実施形態において、上記遮閉要素は、部分的にまたは完全に上記開口部を閉じるため、上記開口部経由での対流により加熱損失が低減される。より多くの熱を上記室内に保持することにより、スタイリングの作業を、より早くかつより効率的に行うことができる。第二に、上記室が加熱される実施形態においては、上記装置の加熱面は重大な火傷を引き起こす程に熱を帯びることがあるが、上記遮閉要素により、ユーザが上記加熱面に触れる可能性が減少する。第三に、上記遮閉要素は、これが無ければ上記ユーザに対して絡まり及び／または不快感を与えることのある上記室内の可動部により、関係の無い（加熱対象外の）髪が係合されてしまう可能性を低減させる。特に、上記ユーザは、スタイリングの対象として定められた毛足を上記室内に導くこと、及び関係の無い何れの髪（すなわち、上記定められた毛足の一部ではないが、実際には、上記開口部に非常に近い位置に存在する可能性のある髪）も、上記遮閉要素により上記室から外に維持されることが望ましい。
【００１７】
従って、上記装置が開放位置にある場合には、上記ユーザは、上記開口部により、毛足を上記室内に挿入することができる。理想的には、上記毛足を収容可能な髪入口チャネルは、上記形成部材及び上記駆動部材の間に設けられる。好適には、上記髪入口チャネルは、実質的に線形であり、上記開口部に隣接して存在することにより、上記毛足を上記室内に容易に導くことができる。
【００１８】
上記開口部が閉じられている時（恐らく、上記駆動部材及び／または形成部材の動きが上記遮閉要素と機械的に関連付けられている時）に、上記駆動部材及び上記形成部材は、これらの作動位置へ向かって互いに動き合う様な配置であってもよい。しかしながら、好適には、上記装置は、電気的に作動され、上記開口部が上記遮閉要素により閉じられた後にのみ、上記駆動部材及び／または形成部材を作動させる制御装置を有する。後者の実施形態では、上記駆動部材及び／または形成部材は、上記室が閉じられるまで移動しないことが確実となるため、上記装置の可動部により関係の無い髪が係合することにより、恐らく髪が絡まってしまうといった可能性は減少する。
【００１９】
好適には、上記室の少なくとも一部は、第１柄部上に取り付けられた主部により提供される。上記遮閉要素は、第２柄部上に取り付けられる。上記第１柄部及び第２柄部は、上記室に対して開状態及び閉状態を規定するために、相互に移動可能である。上記遮閉要素は、上記閉状態にある上記開口部を覆うまたは覆い隠す。ある実施形態では、上記遮閉要素は、上記第１柄部及び第２柄部が上記室の各壁を支持する様に、上記室の壁を提供する。
【００２０】
上記毛足が上記室内に導かれる前または後（理想的には、上記室が閉じられた後）に、ヘアトリートメント製品が上記毛足に付与可能であるため、上記毛足は、波形にセットまたはスタイリングされる。これと代替的にまたは追加的に、上記装置がその閉鎖位置にある間に上記毛足が加熱されることにより、上記毛足は、セットまたはスタイリングされる。上記室は、１つ以上の発熱体、ブタンガス、または他の適切な手段により、直接的に加熱されるものとしてもよいし、あるいは、外部のヘアドライヤーを用いて、上記室の壁により上記毛足に熱を伝導させることにより、間接的に加熱されるものとしてもよい。外部加熱された空気が上記毛足と直接的に交わることを可能とするために、上記室の壁には、穴が開けられるものとしてもよい。
【００２１】
好適には、上記形成部材は、単線上に配列され、かつ、上記形成部材の列は、実質的に直線状である。好適には、上記駆動部材は、単線上に配列され、かつ、上記駆動部材の列は、実質的に直線状である。
【００２２】
望ましくは、上記形成部材は、上記装置の動作中に上記毛足が曲げられる曲面を有する。また、望ましくは、上記駆動部材も、使用中に上記毛足と係合可能な曲面を有する。上記曲面の提供により、上記波が形成される時に、上記形成部材及び駆動部材を超えて上記髪が滑ることが可能となる。これにより、上記毛足の張力は最小化される。上記形成部材及び駆動部材は、上記毛足に対する如何なるダメージも最小化するために、可塑性材料から構成されるものとしてもよい。上記形成部材（及び上記駆動部材）は、断面が実質的に円形の支柱を有するものとしてもよい。
【００２３】
本願発明の幾つかの実施形態では、上記形成部材の各々は、互いに位置が固定されるため、特に、隣接する形成部材間の距離間隔は固定される。この様な実施形態では、隣接する一組の各形成部材間の隙間または間隔は、上記駆動部材の横断面サイズ（例えば、直径）よりも実質的に大きいことが望ましい。これにより、上記駆動部材は、隣接する形成部材間にある何れの毛足も巻き込むことなく、上記隣接する形成部材間を通過することができる。好適には、隣接する形成部材間の間隔は、上記駆動部材の横断面サイズの少なくとも２倍である。好適には、上記形成部材の横断面サイズは、上記駆動部材の横断面サイズと一致し、隣接する駆動部材の各組間の間隔は、隣接する形成部材の各組間の間隔と厳密に一致する。
【００２４】
他の実施形態では、上記第２形成部材（及び第３形成部材、第４形成部材等も、可能な場合には形成部材も）は、上記第１形成部材に対して移動可能である。これにより、上記第１髪受け領域の大きさ（及び、可能な場合には第２髪受け領域等の大きさも）は、上記装置の使用中に変化する。好適には、上記毛足が上記髪受け領域内に入れられた後または入れられる時に、上記髪受け領域の大きさは減少する。
【００２５】
好適には、上記形成部材に対する上記駆動部材の移動経路は、直線状であり、望ましくは、上記髪入口チャネルに対して実質的に垂直の方向である。代替的には、上記移動経路は、弓形である。別の実施形態では、上記形成部材及び上記駆動部材は、各々の腕部上に取り付けられ、該腕部は、各部分が相互に移動し合う際に介する円弧の中心を規定する旋回軸により接続されるものとしてもよい。
【００２６】
２つ以上の形成部材（及び１つ以上の駆動部材）を有する実施形態においては、上記駆動部材が、同時にまたは順次に、各髪受け領域内に移動する態様を採ることもできる。後者の態様は、上記各髪受け領域内への上記毛足の連続的な移動が上記毛足に対して付与する張力が弱そうである場合に、好適である。
【００２７】
幾つかの実施形態では、３〜１０個の形成部材、及びこれと同数の駆動部材が存在する。特に、形成部材（及び駆動部材）は４〜６個であってもよい。しかしながら、上記形成部材の数、及び上記駆動部材の数は、必ずしも等しい値でなくてもよい。但し、異なる数である場合には、殆どの実施形態において、上記形成部材の数は、理想的には、上記駆動部材の数よりも１つしか大きくない値にすべきことが理解されるであろう。しかしながら、幾つかの実施形態では、上記形成部材の数は、上記駆動部材の数と、２つ以上異なるものとしてもよい。
【００２８】
上記装置は、上記形成部材及び上記駆動部材間の髪入口チャネル内に毛足を案内するための案内路（ガイドウェイ）を有するものとしてもよい。この様な構成は、例えば後頭部の様な見えない位置において、自身の髪をスタイリングしたい人にとって、特に有益となり得る。
【００２９】
上記室は、好適には、上記装置が閉状態にある時に、上記形成部材及び上記駆動部材を共に取り囲む（使用時には、結果として上記毛足も取り囲む）幾つかの壁により規定される。幾つかの壁または全ての壁には、穴が開けられるものとしてもよい。このことは、外部のヘアドライヤーにより間接的に上記室が加熱される場合に有益である。
【００３０】
代替的には、少なくとも幾つかの上記室の壁は、上記毛足の何れかの部分が髪受け領域から逃げてしまう可能性を低減させるために、各形成部材及び／または駆動部材に隣接する位置にある個別の隔壁により代替可能である。該個別の隔壁により、上記毛足の波形は、上記形成部材の周りにおいて確実に維持される。これにより、波の形成過程中に上記毛足を保持するために上記室の壁が連続する必要は無く、かつ、上記室が、上記毛足を保持するために配置される隔壁または壁部により規定可能であることがわかる。また、不連続の壁は、例えばヘアドライヤー等の外部手段により上記毛足が加熱される実施形態においても、好適となる。
【００３１】
しかしながら、例えば、上記室の壁内の加熱器（恐らく、上記形成部材及び／または駆動部材内の加熱器もまた）により、上記室に対して熱が直接的に与えられる実施形態においては、上記室の壁が実質的に連続的であることにより、できる限り多くの熱が保持されることが好ましい。このため、本願発明に係る装置によれば、ヘアクリンパーまたはヘアウェーバーを用いる場合と同様に、上記髪が、加熱面に対して押し付けられない。そして、実質的に密室が提供されることとなるため、上記髪に伝えられる熱が増加する。
【００３２】
また、本明細書に記載される様なヘアスタイリング装置を用いた方法も提供される。該方法は、以下の工程を含む：
｛i｝上記第１及び第２形成部材並びに上記第１駆動部材間の髪入口チャネル内に毛足を挿入する工程；
｛ii｝上記第１及び第２形成部材に対して上記第１駆動部材を移動させると共に、上記毛足の一部を上記第１髪受け領域内へ送る工程；及び
｛iii｝上記毛足が上記室内に保持される間、上記室を加熱する工程。
【００３３】
記載された多くの実施形態では、上記毛足の１つの部分が、各髪受け領域内に入れられる。このため、生成される波の数は、髪受け領域の数により決定される。別の実施形態では、上記毛足の１つ以上の部分が、１つの髪受け領域内に入れられる。その結果、上記毛足の複数の部分が、上記髪受け領域内において積層されることとなる。
【００３４】
特定の実施形態では、毛足に波を付与するためのヘアスタイリング装置が提供される。上記装置は、上記毛足を収容するための室、該室内の第１形成部材及び第２形成部材、上記室内の第１駆動部材及び第２駆動部材、上記第１及び第２形成部材間の第１髪受け領域、並びに、上記第１及び第２駆動部材間の第２髪受け領域を有する。上記第２形成部材は、非作動位置及び作動位置の間を、上記第１形成部材に対して移動可能である。上記第１駆動部材は、非作動位置及び作動位置の間を、上記第１形成部材に対して移動可能である。上記第２駆動部材は、非作動位置及び作動位置の間を、上記第２形成部材に対して移動可能である。上記第１駆動部材は、その作動位置において、上記第１髪受け領域内に存在する。上記第２形成部材は、その作動位置において、上記第２髪受け領域内に存在する。
【００３５】
この様な実施形態においては、各々の形成部材または駆動部材が、その非作動位置及び作動位置間を移動する時に、上記髪受け領域の形状は変化するであろう。好適には、上記第１駆動部材がその作動位置へ移動した後に限り、上記第２形成部材がその作動位置へ移動する様に構成される。
【図面の簡単な説明】
【００３６】
以下、添付の図面を参照しながら、本願発明について、実施例を用いて、より詳細に説明する：
【図１】図１は、本願発明に係るヘアスタイリング装置の開状態における部分斜視図である；
【図２】図２は、図１に示す上記装置の側面図である；
【図３】図３は、閉状態にある上記装置の側面図である；
【図４】図４は、本願発明に係る上記形成部材及び駆動部材の非作動位置における配置図である；
【図５】図５は、図４において、上記第１駆動部材が作動位置にある場合の配置図である；
【図６】図６は、図４において、上記第１駆動部材の全てが作動位置にある場合の配置図である；
【図７】図７は、本願発明の第１実施形態に係るヘアスタイリング装置の形成部材及び駆動部材が非作動位置にある場合の平面断面図である；
【図８】図８は、上記形成部材及び駆動部材が作動位置にある場合の第１実施形態を示す図である；
【図９】図９は、開状態にある第１実施形態の端面図である；
【図１０】図１０は、図３において、部分的な閉状態にある場合の図である；
【図１１】図１１は、図３において、閉状態にある場合の図である；
【図１２】図１２は、第２実施形態において、上記形成部材及び駆動部材が非作動位置にある場合の斜視図である；
【図１３】図１３は、図１２において、上記形成部材及び駆動部材が作動位置にある場合の図である；
【図１４】図１４は、異なる使用段階における第２実施形態の平面図である；
【図１５】図１５は、異なる使用段階における第２実施形態の平面図である；
【図１６】図１６は、異なる使用段階における第２実施形態の平面図である；
【図１７】図１７は、異なる使用段階における第２実施形態の平面図である；
【図１８】図１８は、異なる使用段階における第２実施形態の平面図である；
【図１９】図１９は、第３実施形態において、上記形成部材及び駆動部材が非作動位置にある場合の斜視図である；
【図２０】図２０は、図１９において、上記形成部材及び駆動部材が作動位置にある場合の図である；
【図２１】図２１は、異なる使用段階における第３実施形態の平面図である；
【図２２】図２２は、異なる使用段階における第３実施形態の平面図である；
【図２３】図２３は、第４実施形態において、上記形成部材が非作動位置にある場合の斜視図である；
【図２４】図２４は、図２３の平面図である；
【図２５】図２５は、初期の使用段階における第４実施形態の平面図である；
【図２６】図２６は、後の使用段階における第４実施形態の平面図である；
【図２７】図２７は、後の使用段階における第４実施形態の平面図である；
【図２８】図２８は、第５実施形態において、上記駆動部材が非作動位置にある場合の平面図である；
【図２９】図２９は、初期の使用段階における第５実施形態の平面図である；
【図３０】図３０は、後の使用段階における第５実施形態の平面図である；
【図３１】図３１は、後の使用段階における第５実施形態の平面図である；
【図３２】図３２は、後の使用段階における第５実施形態の平面図である；
【図３３】図３３は、上記非作動位置にある第５実施形態の代替的構成を示す図である；及び
【図３４】図３４は、上記作動位置にある図３３の構成を示す図である。
【発明を実施するための形態】
【００３７】
ヘアスタイリング装置１０は、旋回軸ピン１６により枢動可能に共に固定される第１柄部１２及び第２柄部１４を有する。第１柄部１２は、主部１８を支持し、上記第２柄部は、パネル２０の形状を有する遮閉要素を支持する。
【００３８】
図１及び図２は、主部１８の内部が開口部２２によりアクセス可能な、開状態にある装置１０を示す。図３は、パネル２０が開口部２２を覆うと共に覆い隠し、主部１８の内部へのアクセスを実質的に防止する、閉状態にある装置１０を示す。
【００３９】
本実施形態では、主部１８の壁及びパネル２０は共に、室２４を規定する。該室は、以下に記載する様に、毛足を収容及びスタイリングする様に設けられる。上記室の端壁の各々は、上記装置が閉じられる際に毛足２８が上記室内に入る時に経由する凹部または案内路２６を有する。
【００４０】
スタイリング対象の毛足２８は、図２及び図３の紙の表面に対して実質的に垂直に置かれ、図１の案内路２６と実質的に一直線状になって、主部１８を横切る。
【００４１】
毛足２８が案内路２６を越えて押し込まれ（例えば、ユーザの後頭部において上記装置を使用する場合の様に、ユーザが見えない場合に起こり得る）、恐らく柄部１２、１４間に閉じ込められることを防止するために、導材３０が設けられる。本実施形態では、２つの導材３０が存在するが、別の実施形態では、１つの導材のみが設けられる（例えば、２つの導材３０の内の１つは、除去されるものとしてもよい）。更に別の実施形態では、３つ以上の導材が設けられるものとしてもよい。導材３０は、図１に示す様に、比較的薄く形成されるべきである。すなわち、導材３０は、毛足２８に沿って比較的小さなサイズを有するが、別の実施形態では、導材は、毛足２８に沿ってより長い距離に伸びる様に、より大きな厚さを有するものとしてもよい。
【００４２】
導材３０は、主部１８上に取り付けられてパネル２０に係合するが、あまり好適でない実施形態では、これと反対の配置を採ることもできる。特に、図２からは、ユーザは、毛足２８を、導材３０と係合する様に移動可能であり、その後、当該毛足を、案内路２６内へ下方向に移動可能であることが理解されるであろう。ユーザは、練習をすることにより、毛足２８を見なくとも、毛足挿入用の有益な誘導を行う導材３０により、毛足２８を案内路２６内へ導くことができることが予想される。
【００４３】
本実施形態では、導材３０は、移動可能であり、かつ、特に、パネル２０が閉じている間に、図２に示す位置から図３に示す位置へ反時計方向に旋回する様に枢動可能に取り付けられる。上記移動中に、導材３０により支持されるピン３２は、図２及び図３の比較によってわかる様に、パネル２０内のチャネル３４に沿ってスライドする。上記導材が旋回軸を中心に移動することにより、上記装置が閉じられた時（図３参照）のサイズを著しく増大させることなく、上記毛足が導かれる開口部２２を、比較的大きく形成することができる（図２参照）という更なる効果が得られる。
【００４４】
理想的には、上述した様に、上記ユーザは、パネル２０が閉じられる前に、毛足２８を案内路２６内に導くであろう。しかしながら、もし上記ユーザがそうしない場合、例えば、上記ユーザが、図２に示す様な位置に対してのみ上記毛足を移動させる場合には、導材３０は、毛足２８を案内路２６の方向へ押し、その後案内路２６内へ押し込むという追加的な機能を実行することができる。
【００４５】
また、本実施形態においては、図３に示す様に、導材３０は、上記装置が閉状態にある時に、案内路２６の一部を遮閉する。それでもなお、導材３０は、上記毛足を案内路２６内に挟むことなく、反対に、毛足２８は、後述する様に、依然として、案内路２６を通って室２４内まで自由に移動することが理解されるであろう。
【００４６】
別の実施形態では、導材３０は、閉じる動作の初期の間は、上記毛足に係合するのみであり、その後、パネル２０上に設けられた１つ以上の押さえ部材は、上記毛足に係合し、上記毛足を案内路２６の方向へ押し、案内路２６内に押し込む。案内路２６へ向かうパネル２０の移動経路は、導材３０の移動経路よりも線形であるため、上述の様な押さえ部材を設けることにより、実際上の効果が期待される。
【００４７】
発明者は、使用中に上記毛足の何れの部分も挟まれない装置を提供する様に努めているが、上記毛足の一部が挟まれることを幾人かのユーザが許容する可能性があることが想定される。別の実施形態では、例えば、図１において３０がナンバリングされた導材と同様の導材が、ユーザの頭皮に隣接する毛足を挟むことがあり、これにより、上記装置の使用中に上記ユーザの頭皮上に掛かる張力が最小化されるという態様を採ることもできる。
【００４８】
図面には示さないが、主部１８の１つ以上の壁に加えて、恐らくパネル２０もまた、加熱器（理想的には、電熱器）を支持し、これにより、室２４が加熱される。上記主部及びパネルの材質は、上記装置の外部表面が、上記ユーザに対して損傷または不快感を与える程に熱くならない様に、好適には断熱材である。使用中に閉じられる形態の装置は、上記ユーザが室２４内の加熱面の何れかに接触することを効果的に防止する。
【００４９】
図１〜図３に示す実施形態に係る室２４は、実質的に立方体の形状を有し、その全てが実質的に平面状である６つの壁により取り囲まれる。別の実施形態では、上記壁の幾つかは、曲面状であってもよい。また、図１〜図３に示す平面状の壁の内、２つ以上の壁は、単一の曲面状の壁によって代替されるものとしてもよい。
【００５０】
重要なことに、図１〜図３は、上記ヘアスタイリング装置の一部のみ、特に、上記毛足がスタイリングされる室を提供する構成要素を示す。これらの図面は、室２４内に設けられると共に、毛足２８に波を生成するために機能する構成要素を示していない。従って、後述する様々な実施形態において例示される様に、図１〜図３は、本願発明に係る形成部材及び駆動部材を内部に設ける適切な室２４を提供することのできる装置の代表例とみなされるべきである。本願発明は、図１〜図３に示す構造に限定されるものではなく、また、図１〜図３の構成要素の幾つかまたは全て、及びこれらの構成要素が相互作用する方法は、本願発明の範囲から逸脱しない限り、変更可能であることが理解されるであろう。
【００５１】
上記装置の全ての実施形態は、少なくとも１つの髪受け領域、及び１つ以上の駆動部材を共に規定する２つ以上の形成部材を（室２４内に）提供する。上記駆動部材は、毛足２８の一部を上記髪受け領域内に入れる様に、上記形成部材に対して移動可能である。その工程については、図４〜図６の配置図に、より詳細に記載されている。
【００５２】
上記形成部材及び駆動部材間に相対運動が要求されるが、｛i｝上記形成部材が、該形成部材に対して移動可能である上記駆動部材を有する室２４内に固定して取り付けられるか否か、｛ii｝上記駆動部材が、該駆動部材に対して移動可能である上記形成部材を有する室２４内に固定して取り付けられるか否か、または、｛iii｝上記形成部材及び駆動部材の各々が、移動可能な様に室２４内に取り付けられるか否かについては、重要ではないことが理解されるであろう。従って、図４〜図６においては、形成部材４０が固定されたものとして、かつ、駆動部材４２が移動可能なものとして記載されているにも拘らず、本願発明は、かかる構成（及び後述の実施形態に係る類似の構成）に限定されるものではない。
【００５３】
図４〜図６に示す構成では、形成部材４０が７つ、駆動部材４２が６つあるが、これらの部材の各々は、より多くてもまたはより少なくてもよいことが理解されるであろう。第１形成部材４０ａ及び第２形成部材４０ｂは、第１髪受けチャネル、または第１形成部材４０ａ及び第２形成部材４０ｂ間の領域４４ａを提供する。
【００５４】
図４は、非作動位置にある上記形成部材及び上記駆動部材を示す。該非作動位置においては、髪入口チャネル４６は、上記各部材間に毛足２８を導くために提供される。好適な構成においては、髪入口チャネル４６は、装置１０の案内路２６と一直線状になる結果、上記ユーザは、毛足２８を、各形成部材４０及び駆動部材４２の間の髪入口チャネル４６内に直接挿入することができる。
【００５５】
図５に示す様に、第１駆動部材４２ａは、第１及び第２形成部材４０ａ、４０ｂ間を、第１髪受け領域４４ａ内へ移動可能である。第１駆動部材４２ａの先端は、毛足２８に係合し、該毛足の一部を、第１髪受け領域４４ａ内へ入れる。
【００５６】
駆動部材４２が図６の作動位置にある時の上記装置内の毛足の線形の範囲は、上記駆動部材が図４の非作動位置にある時の上記線形の範囲よりも相当に大きいことが理解されるであろう。通常は、上記装置は、上記ユーザの頭皮に近接して設置されるため、毛足２８の近位端４８は、上記装置に対する相対位置に幾分固定されるであろう。駆動部材４２が作動位置に移動する時、毛足２８の遠位（自由）端５０は、上記装置に引き込まれる。上記装置の使用中に、毛足２８の何れの部分も挟まれないか、そうでなければ固定されないため、上記毛足の別の部分は、（各案内路２６を介して）必要に応じて上記装置に自由に引き込まれる、すなわち、遠位端５０は、図４に示す左側に引き寄せられる。
【００５７】
形成部材４０の端部及び駆動部材４２の端部は、上記毛足がこれらの部材に対して移動する（すなわち、スライドして通り過ぎる）時に上記毛足が損傷を受ける可能性を低減するために、また、滑り移動に対する摩擦抵抗を低減するために、丸みを帯びている。
【００５８】
図５は、駆動部材４２の移動を順次的に示す、すなわち、全ての駆動部材４２が図６に示す作動位置に到達するまで、第１駆動部材４２ａは、第２駆動部材４２ｂが、上記毛足の別の部分を、第２髪受け領域４４ｂ等内に入れる前に、上記毛足の一部分を、第１髪受け領域４４ａ内に入れる。ユーザの頭皮に最も近い駆動部材４２ａは、上記毛足の近位端４８上の張力を最小限とすることにより、上記ユーザに対する如何なる不快感も低減するために、最初にその作動位置へ移動することが望ましい。代替的には、全ての駆動部材４２が、図４の非作動位置から図６の作動位置へ同時に移動可能であることは勿論である。但し、かかる態様は、毛足２８に付与される張力がより大きくなり、上記ユーザに対する不快感がより大きくなることが予想されるため、好適ではない。
【００５９】
好適には、装置１０は自動化されているため、上記駆動部材は、例えば１つ以上の電動機により、その作動位置に移動する様に動作する。装置１０は、室２４が閉じられた後、すなわち、パネル２０が図３の閉鎖位置にある状態となった後にのみ、上記駆動部材を作動可能な制御装置（不図示）を有するものとしてもよい。従って、関係の無い髪（すなわち、毛足２８の一部分ではない髪）が上記可動部の何れかの部分に係合してしまう可能性は、閉じられた室２４により、著しく低減される（または事実上無くなる）ことが、理解されるであろう。その結果、絡まる可能性は、著しく低減される。
【００６０】
自動化された実施形態では、駆動部材４２の移動方向、すなわち作用方向Ｗは、図１に示す方向Ｙと、実質的に一直線状になっている。代替的な（手動の）実施形態では、駆動部材４２は、パネル２０により支持され、形成部材４０は、主部１８により支持される。その結果、上記駆動部材は、柄部１２、１４が共に移動してくる時に、その作動位置に（同時に）入れられる。その様な実施形態では、上記作用方向Ｗは、図１の方向Ｘ（すなわち、実質的にパネル２０の閉方向）と実質的に一直線状になっている。従って、図４〜図６は、配置図として記載され、主として説明の目的で提供されるものであるが、本願発明の実施形態を表すことができることが理解されるであろう。
【００６１】
本願発明の動作原理については既に説明したので、図面に示す具体的な実施形態について、説明する。
【００６２】
図７〜図１１に示す第１実施形態１１０は、第１部分１１８及び第２部分１２０を有する。第１部分１１８は、実質的に直線状の単一の列に配置された５つの第１支柱１４０を支持する。第２部分１２０もまた、実質的に直線状の単一の列に配置された５つの第２支柱１４２を支持する。本実施形態では、第１支柱１４０及び第２支柱１４２は、同一であり、かつ、互いに交換可能であるので、支柱１４０、１４２の各々は、後述する様に、形成部材及び駆動部材の双方の機能を果たす。
【００６３】
第１支柱１４０及び第２支柱１４２は、各々が同一の直径ｄを有する円形断面を有する。第１支柱１４０、及び第２支柱１４２も同様に、隙間または間隔により分離される。該隙間または間隔は、上記直径ｄよりも実質的に大きく、本実施形態においては、上記直径ｄの２倍よりも僅かに小さい。第１支柱１４０は、上記間隔の凡そ半分の距離だけ、第２支柱１４２からずれている。
【００６４】
図７においては、第１部分１１８及び第２部分１２０は、明瞭性のため、意図的に遠く離れて示されている。実際には、非作動位置においては、第１部分１１８及び第２部分１２０は、図９に示す様に、（協働する滑り表面により）互いに接続されるであろう。
【００６５】
第１部分１１８及び第２部分１２０の各々は、各柄部（恐らく、図１〜図３に示す様な旋回可能な柄部）上に取り付け可能であり、かつ、（支柱が最も端にある場合を除き）第１支柱１４０が、隣り合う第２支柱１４２の組み合わせの間を通過する間中、またはその逆の場合の間中、図８の閉鎖位置へ共に移動可能であることが理解されるであろう。
【００６６】
装置１１０が図９の開放位置にある間は、上記ユーザは、毛足２８を、髪入口チャネル１４６内に配置することができる。その後、上記装置が、図８に示す閉鎖位置まで移動すると、第１支柱１４０及び第２支柱１４２は互いにすれ違い、毛足２８は上記波形に矯正される。
【００６７】
通過する支柱間に周辺の髪が挟まれることなく、第１支柱１４０が、隣り合う第２支柱１４２間を容易に通過することができるか、またはその逆となり、上記髪への損傷を回避することができる様に、上記間隔は、上記直径ｄよりも有意に大きいことが理解されるであろう。
【００６８】
図８は、毛足２８が装置１１０を越えて伸びること、すなわち、上記毛足の遠位端５０が、作動（閉鎖）位置にある装置１１０から伸びることを示す。毛足が短い場合、該毛足の遠位端が装置１０に引き込まれることにより、上記閉鎖位置において、上記毛足が、何れの支柱１４０、１４２にも係合しないが、ヘアスタイリング装置１１０の動作に影響を及ぼさない可能性がある。
【００６９】
上記一連の動作は、図９〜図１１にも示されている。図９において、装置１１０は、その開放位置または非作動位置にあり、毛足２８が導かれ得る髪入口チャネル１４６を提供する。本実施形態では図示しないが、上記装置は、上記毛足用の案内部（ガイド）を１つ以上有するものとしてもよい。該案内部は、例えば、チャネル１４６と一直線状になった傾斜面であり、（特に上記ユーザが見られない場合に）該ユーザが、上記毛足をチャネル１４６内に入れるのを補助するものである。
【００７０】
上記毛足が入れられると、第１部分１１８及び第２部分１２０は共に、図１０に示す位置まで移動する。この位置では、上記毛足は、第１支柱１４０及び第２支柱１４２により係合され、これらの支柱は上記毛足を変形させ始める。更に、装置１１０が閉じる動作により、第１支柱１４０は、図１１の作動（閉鎖）位置に到達するまで、第２支柱１４２を通り過ぎるか、またはその逆の動作をとる。
【００７１】
図１１の上記作動位置においては、上記毛足は、第２支柱１４２の左側に巻き付けられると共に、第１支柱１４０の右側に巻き付けられることが理解されるであろう。上記毛足により係合される支柱１４０、１４２の各部は、上記髪に対する損傷の可能性が減少する様に、上記毛足が巻き付けられることが望ましい。上記毛足は、各支柱の一部分に係合すれば足りるため、上記支柱は、必ずしも、本実施形態の様に円形状である必要は無いことが理解されるであろう。例えば、上記支柱は、図４〜図６の配置図に示す様に、実質的に平面状であってもよい。
【００７２】
上記毛足は装置１１０により挟まれないので、上記毛足は、上記支柱に係合して保持される必要がある。すなわち、上記毛足が、支柱の自由端を通り過ぎることにより、所望の波形にされないという事態を防止する必要がある。第１部分１１８及び第２部分１２０は、図１に示す閉鎖位置にある時、上記毛足を保持するための、特に、各支柱１４０、１４２間の髪受け領域内の毛足を保持するための室１２４を共に提供する。従って、他の実施形態では、全ての支柱１４０、１４２が、図１〜図３の室２４等の室内に設けられるが、本実施形態では、第１及び第２部分１１８、１２０の壁が、上記室を規定する。
【００７３】
上記毛足が不用意に外れてしまうことが、室１２４の壁により防止される。具体的には、本実施形態では、第１部分１１８の壁１５２は、第２支柱１４２の端部に近接し（恐らく係合し）、上記毛足が、第２支柱１４２の自由端を通過することを、妨げる様に作用する。同様に、第２部分１２０の壁１５４は、第１支柱１４０の端部に近接し（恐らく係合し）、上記毛足が、第１支柱１４０の自由端を通過することを、妨げる様に作用する。
【００７４】
必要に応じて、室１２４は、ヘアドライヤー等の外部手段により波形の毛足を加熱することにより、波形のスタイリングを可能とするものとしてもよい。かかる態様は、壁１５２、１５６に穴を開けて、比較的大きな穴または開口部を介して、熱風を室１２４内に吹き込ませることにより、実現可能となる。壁１５４、１５８についても同様に、整列された目打ち線を用いて、穴を開けることができる。代替的には、上記室は、直接加熱可能であり、例えば、壁１５２、１５４、及び恐らく壁１５６、１５８もまた、（例えば、電気的に）加熱することができる。
【００７５】
代替的には、上記室は、上記毛足が不用意に外れてしまうことが無い様に、個別の隔壁により規定されるものとしてもよい。すなわち、上記毛足は、第２部分１２０の壁１６０から突き出た個別の指状部により、各第１支柱１４０に巻き付いて保持されるものとしてもよい。同様に、第２支柱１４２用の上記隔壁は、第１部分１１８の壁１６２から突き出た個別の指状部であってもよい。この様な実施形態は、図８と同様の平面図において、壁１６２から突き出た５本の指状部を有し、該指状部の各々は、第２支柱１４２の上面部を覆うことが理解されるであろう。また、この様な実施形態は、壁１６０から突き出た５本の指状部を有し、該指状部の各々は、第１支柱１４０の下面部を覆うことが理解されるであろう。第１支柱１４０及び第２支柱１４２が上に取り付けられた、突き出た指状部、及び壁１５２、１５４とは別に、室１２４は、空気の通路に対して、実質的に開かれているものとしてもよい。
【００７６】
上記第１実施形態は、全てがその作動位置まで同時に移動する上記形成部材及び駆動部材により動作する様に記載されている。通常は、上記毛足内の張力を最小化する様に、前進する移動または連続的な移動をすることが好ましい。図７〜図１１と同様の構成は、上記第１部分を、上記第２部分に関する旋回軸へ配置することにより、漸進的に動作可能となるであろう。
【００７７】
上述の様な構成は、図３３及び図３４に示されている。第１部分６１８が、図３３に示す位置から図３４に示す位置まで、図示する様に反時計方向に旋回すると共に、第２部分６２０が、これに対応して時計方向に旋回すると、第２駆動部材６４２ｂが、第２及び第３形成部材６４０ｂ、６４０ｃ等の間を通過する前に、第１駆動部材６４２ａが、第１及び第２形成部材６４０ａ、６４０ｂの間を通過するため、所望の進行性変形により、上記毛足が所望の波形になることが理解されるであろう。第１部分６１８の基板６６２ａは、各基板間に位置する上記形成部材及び駆動部材により、図示する様な位置、すなわち、第２部分６２０の基板６６２ｂの下方に位置し、その結果、駆動部材６４２は、図示する様に紙面の内側へ突き出す一方、形成部材６４０は、図示する様に紙面の外側へ突き出すことが理解されるであろう。
【００７８】
第２実施形態は、図１２〜図１８に示され、これらの図面が、図１〜図３に示した装置１０の室２４内に有益な様に（但し、これに限らず）設けることのできる構成要素を示すことが理解されるであろう。
【００７９】
本実施形態においては、形成部材２４０の各々は、個別に、基板２６２に対して移動可能である（例えば、基板２６２は、主部１８の底壁であってもよい）。駆動部材２４２もまた、個別に、基板２６２に対して移動可能である。上記形成部材（及び駆動部材）は、独立して移動可能であってもよい、あるいは、後述する様に、順次移動する様に関連付けられているものとしてもよい。
【００８０】
図１４〜図１８からより明らかな様に、形成部材２４０及び駆動部材２４２は鏡像となっているが、他の実施形態では、同一であってもよい。形成部材及び駆動部材という用語は、一貫性を保つために使用し続けるが、これらの部材も、同一の機能を発揮するため、形成部材及び駆動部材の双方として作用する。
【００８１】
図１２及び図１４に示す様な非作動位置においては、形成部材２４０及び駆動部材２４２は共に、髪入口チャネル２４６を規定する。髪入口チャネル２４６は、理想的には、装置１０内の案内路２６と一直線状になっている。図１３及び図１８に示す様な作動位置においては、部材２４０、２４２は、毛足２８を所望の波形とするための形状を有する遠回りのチャネルを規定する。
【００８２】
上記一連の動作は、図１４〜図１８に記載されている。毛足２８は、髪入口チャネル ２４６（上記ユーザにより直接設置されるか、または、導材３０により押し込まれる）内へ導かれる。その後、第１形成部材２４０は、図１５に示す様に、その作動位置へ移動し、毛足２８を僅かに変形させる。
【００８３】
その後、第１形成部材２４２ａは、図１６に示す様に、その作動位置へ移動し、毛足２８を更に変形させ、特に、上記毛足の一部分を、第１形成部材２４０ａの周囲に更に曲げる。図１６においては、毛足２８は、第１形成部材２４０及び第１駆動部材２４２ａから間隔を空けて図示されているが、実際には、双方の部材に係合することが理解されるであろう。
【００８４】
その後、第２駆動部材２４０ｂは、図１７に示す様に、その作動位置へ移動し、毛足２８を更に変形させ、特に、上記毛足の一部分を、第１駆動部材２４２ａの周囲に更に曲げる。上記処理は、図１８に示す様に、全ての形成部材２４０及び駆動部材２４２がその作動位置に到達するまで、継続される。
【００８５】
第１及び第２形成部材２４０ａ、２４０ｂ間に設けられた第１髪受け領域２４４ａの形状は、上記第２形成部材が移動する時に、変化し、特に、上記毛足が上記髪受け領域内に押し込まれた後に変化することが理解されるであろう。それでもなお、上記第１駆動部材は、上記第１及び第２形成部材の間の空間内に上記毛足の一部分を入れ、上記空間は、その後に形状を変化させるものの、上記髪受け領域として規定されることが、図１６から認識されるであろう。上記髪受け領域の形状変化は、隣接する形成部材２４０の各組毎に（同様に、隣接する駆動部材の各組毎に）類似する。
【００８６】
本実施形態においては、形成部材２４０及び駆動部材２４２は、各旋回軸ピン２６４上に取り付けられ、その非作動位置及び作動位置の間を、約９０°回転する。他の実施形態では、形成部材２４０及び駆動部材２４２は、９０°よりもかなり少なく回転し、更に別の実施形態においては、９０°よりもかなり多く回転する。更に別の実施形態では、上記形成部材及び駆動部材は、回転可能ではなく、スライド可能である。必要に応じて、上記形成部材及び駆動部材の全てが一緒に回転可能である、あるいは、上記形成部材及び駆動部材の移動は重複可能である、すなわち、上記第１駆動部材がその回転を停止する前に、上記第２形成部材がその回転を開始可能等である。
【００８７】
第１形成部材２４０ａがその作動位置へ移動する間に毛足２８に付与される張力は、比較的小さいことが、図１５から認識されるであろう。同様に、第１駆動部材２４２ａの移動中に付与される張力もまた、比較的小さいことが、図１６から認識されるであろう。各形成部材及び各駆動部材の移動中に付与される張力は、同様に小さいため、本実施形態に記載の一連の処理は、特に、上記毛足に付与される張力を最小化するという点において有益である。
【００８８】
更に、上記波が、毛足２８の近位端（頭皮）から適用される場合、ユーザの頭皮に掛かる力、及びこれにより上記ユーザの感じる不快感は、最小化される、すなわち、後期の動作中に上記毛足の近位端４８に付与される張力は、殆ど無いか、全く無い。換言すれば、第２形成部材２４０ｂがその作動位置に移動した後（そして、恐らく、第１駆動部材２４２ａがその作動位置に移動した後でさえ）、上記形成部材及び駆動部材の更なる動作により、上記毛足の近位端４８から髪を引き込もうとするよりも、上記毛足の遠位端５０からの方が更に多くの毛足２８を容易に引き込むことが可能であると予想される。
【００８９】
図１８は、第４駆動部材２４２ｄがその作動位置に到達した直後の位置を示す。毛足２８は、第４駆動部材２４２ｄの移動中は、依然として、張力が小さい状態にあることが理解されるであろう。しかしながら、毛足２８は、その自然回復力により、実質的に線形の状態に戻ろうとするため、上記毛足の各部分は、該毛足を取り囲む（その後、より多くの髪を上記装置内に引き込む）上記形成部材または駆動部材と係合する様に、伸長しようとするであろう。形成部材２４０及び駆動部材２４２の側端部２６６ａ、２６６ｂは全て弓形（理想的には部分的に円形）であり、かつ、隣り合う形成部材及び駆動部材は共に、協働する部分的に円形状の壁を提供することにより、上記毛足が上記装置内の滑らかな曲線に従うことを可能とし、その結果、滑らかな波を生成することが認識されるであろう。
【００９０】
図１２〜図１８は、基板２６２の面に対して実質的に垂直である側端部２６６ａ、２６６ｂを有する形成部材２４０及び駆動部材２４２を示す。従って、形成された波は、２次元である。すなわち、図１８に示す上記形成された波は、実質的に平坦であると共に、図１４〜図１８の紙面に対して平行である。別の実施形態においては、側端部２６６ａ、２６６ｂは、基板２６２の面に対して角度を有するものとしてもよく、これにより、３次元波が生成される。
【００９１】
具体的には、各側端部２６６ａが基板２６２から離れた位置に集まる様に、形成部材２４０は、先細形状であってもよく、側端部２６６ｂが基板２６２から離れた位置で分岐する様に、駆動部材２４２は、反対方向の先細形状であってもよい。これにより、毛足２８は、駆動部材２４２に係合する基板２６２へ向かう方向へ促され、かつ、形成部材２４０に係合する基板２６２から離れる方向へ促される、という効果が得られる。上記別の実施形態に係る、図１８と同様の平面図においては、毛足２８は、（図１８に）図示する様に、左側及び右側へ波を有すると共に、図示する様に、紙面の内側及び外側へも波を有するであろう。
【００９２】
形成部材２４０及び駆動部材２４２の各々は、これらの非作動位置において、基板２６２を僅かに越えて突き出ることが、図１４〜図１７から認識されるであろう。この突出部分は、形成部材２４０及び駆動部材２４２をその作動位置へ順次移動させるために基板２６２の端部に沿って動かされる作動装置（アクチュエータ）により係合可能な各カムとして、機能する。上記形成部材及び駆動部材がこれらの非作動位置へ戻る動作により、上記作動装置の復帰運動が自動的に実現される様に、上記形成部材及び駆動部材は、これらの非作動位置へ向かって、弾力的に偏向されるものとしてもよい。
【００９３】
第３実施形態は、図１９〜図２２に示される。本実施形態では、形成部材３４０は、その各々が単一の旋回軸くい３７０上に取り付けられた各腕部３６８により支持される。同様に、駆動部材３４２は、その各々が単一の旋回軸くい３７４上に取り付けられた各腕部３７２により支持される。上記形成部材及び上記駆動部材は、図１９及び図２１に示す上記非作動位置から、図２０及び図２２に示す上記作動位置まで、移動可能である。上記移動は、好適には、連続的であり、かつ、上述の第３実施形態における動作と類似するが、上記移動は、好適には、同時発生的でなくてもよい。
【００９４】
別の実施形態においては、上記形成部材は（上記駆動部材も同様に）、各々別個の旋回軸くい上に取り付け可能である。
【００９５】
特に、腕部３６８、３７２は、部分的に積層可能な様にずれて配設されることが、図１９から判るであろう。本実施形態では、形成部材３４０及び駆動部材３４２は、作動装置（不図示）により、各々の作動位置まで、全てが確実に動かされる。別の実施形態では、形成部材３４０は、隣り合う駆動部材３４２の腕部３７２により係合されるものとしてもよく、駆動部材３４２は、隣り合う形成部材３４０の腕部３６８により係合されるものとしてもよい。係合する腕部は、形成部材３４０及び駆動部材３４２を、少なくとも部分的に、これらの作動位置まで移動させる。
【００９６】
第４実施形態は、図２３〜図２７に示される。本実施形態は、図２５に示す方向へ回転すると共に、図２５に示す方向へ形成部材４４０の列に沿って移動もする一連の螺旋状部材４４２により、上記駆動部材が提供される、という点において、前述の実施形態と異なる。螺旋状部材４４２間の距離は、隣り合う形成部材４４０間の距離と厳密に一致する。
【００９７】
図２３及び図２４に示す非作動位置においては、毛足２８は、形成部材４４０の列及び螺旋状部材４４２の間の髪入口チャネル４４６内に配置される。その後、螺旋状部材 ４４２は、その先端４７８が、第１及び第２形成部材４４０ａ、４４０ｂ間に設けられた第１髪受け領域４４４ａと隣り合う上記毛足の一部分に接近するまで、移動される。
【００９８】
その後、螺旋状部材４４２は、軸４７６により回転され、また、図示する様に右側へ移動（回転速度及び螺旋ピッチに対応する線形移動）される。螺旋状部材４４２の半径は、その先端４７８から徐々に増加するため、螺旋状部材４４２は、図２５に示す様に、上記毛足に係合し、上記毛足の一部を上記髪受け領域内へ入れ始めることが観察されるであろう。更に、螺旋状部材４４２が回転（及び移動）することにより、更に多くの上記毛足が、第１髪受け領域４４４ａ内へ入れられる。
【００９９】
上記回転及び線形移動は、毛足２８の各部分を一連の髪受け領域内へ押し込む螺旋状部材４４２の一連のコイルにより、図２６に示す位置まで継続される。
【０１００】
上記コイルの半径は、その終端４８０に向かって徐々に減少する結果、巻き部材４４２は対称であることが判るであろう。これにより、（最大半径を有する）その中間点及び終端４８０間のコイルは、上記毛足を押す様に作用するのではなく、上記髪を各髪受け領域内に保持する様に作用することが理解されるであろう。従って、後半部分のコイルは、上記毛足に十分に係合し、例えば、上記毛足が第１髪受け領域４４４ａから外に引っ張られることを防止する。換言すれば、より多くの髪を上記装置内へ引き込むのに要する力は、存在する髪の何れかの部分を髪受け領域から外に引っ張るのに要する力よりも小さい。従って、図２７に示す様に、螺旋状部材４４２がその移動の終点に近付く時に、上記髪受け領域内へ導かれた上記毛足の部分は、保持される。但し、別の実施形態においては、必要に応じて、上記コイルは、非対称であり、その終端に至るまで最大半径を維持するものとしてもよい。
【０１０１】
また、上記第４実施形態は、形成部材４４０と実質的に垂直である上記毛足に対して力を付与するという点においても、前述した実施形態と異なることが理解されるであろう。すなわち、上記コイルは、図２５に示す様に、紙面内へ向かう方向の小さな摩擦力を、上記毛足に対して与える。１つ以上の弾性的な蓋（不図示）が、形成部材４４０と隣り合って設けられるものとしてもよい。これにより、螺旋コイル４４２の回転を可能としつつ、上記毛足を、上記形成部材に接触した状態に維持することが可能となるであろう。また、上記毛足が形成部材から分離されてしまう恐れを回避するために、上記形成部材は、（図２４〜図２７の紙面内へ向かう方向に）図２３に示すよりもかなり幅広に形成されるものとしてもよい。第４実施形態は、図２３〜図２７に示される。本実施形態は、
【０１０２】
第５実施形態は、図２８〜図３２に示される。前述の実施形態では、上記毛足の異なる部分毎に、個別の髪受け領域が提供される。第５実施形態は、上記毛足の複数の部分が、提供される２つの髪受け領域の各々の中に入れられる、という点において異なる。
【０１０３】
第５実施形態は、その各々が、基板５６２に堅く固定される支柱を有する（例えば、該基板は、主部１８の底壁であってもよい）第１及び第２形成部材５４０ａ、５４０ｂを有する。上記第１及び第２形成部材間には隙間が存在し、該隙間が、第１髪受け領域５４４ａを提供する。第１駆動部材５４２ａは、旋回軸くい５７４ａ上に枢動可能に取り付けられ、図２８に示す様な非作動位置から、図２９に示す様な作動位置へ移動可能である。
【０１０４】
特に、図２９からは、駆動部材５４２ａが、旋回軸くい５７４ａ及び第１髪受け領域 ５４４ａ間の距離と近似する曲率半径を有する弓形であることが理解されるであろう。従って、第１駆動部材５４２ａは、その非作動位置からその作動位置まで、旋回軸くいの周りを回転可能であり、毛足２８の一部分を、第１及び第２形成部材５４０ａ、５４０ｂ間の第１髪受け領域５４４ａ内へ入れる。
【０１０５】
また、第３及び第４形成部材５４０ｃ、５４０ｄも、基板５６２に堅く固定され、上記第３及び第４形成部材間の隙間は、第２髪受け領域５４４ｂを提供する。第２駆動部材５４２ｂは、旋回軸くい５７４ｂ上に枢動可能に取り付けられ、図３０に示す様な非作動位置から、図３１に示す様な作動位置へ移動可能である。
【０１０６】
第２駆動部材 ５４２ｂは、第１駆動部材５４２ａと同様の構成を有するため、図３１に示す様に、第３及び第４形成部材５４０ｃ、５４０ｄ間の第２髪受け領域５４４ｂ内へ、毛足２８の別の部分を入れることができる。
【０１０７】
上記図面には示さないが、第１及び第２形成部材５４０ａ、５４０ｂ間には（並びに、第３及び第４形成部材５４０ｃ、５４０ｄ間にも同様に）、１つまたは複数の弾性的な蓋が設けられる。該弾性的な蓋は、駆動部材５４２の通路を妨げることも、該通路を経由する上記毛足の一部分を動かすこともないが、上記髪受け領域内に一旦押し込まれると、上記毛足の一部分を保持する様に作用する。従って、図３０に示す様に、第１駆動部材５４２ａが、その非作動位置へ引っ込められると、上記毛足の部分２８ａは、上記弾性部材により、第１髪受け領域５４４ａ内に保持される。代替的には、上記第１及び第２形成部材は、弾力性を有するものとしてもよい、または、その基部に対して移動可能な様に弾力的に取り付けられるものとしてもよい。これにより、上記駆動部材の通路は、上記第１及び第２形成部材間の髪の部分を保持することもできる。
【０１０８】
更に、第２駆動部材５４２ｂが、上記毛足の別の部分２８ｂを、第２髪受け領域５４４ｂ内に入れる時、上記第１髪受け領域から外に引き戻されている毛足の部分２８ａではなく、更なる髪が、遠位端５０から、上記装置に引き込まれる。
【０１０９】
図３２は、駆動部材５４２ａ、５４２ｂの各々が、１周期の動作、すなわち、その非作動位置から作動位置へ移動し、再び非作動位置まで戻るという動作、を開始した状態を示す。上記一連の動作は、上記第１及び第２駆動部材の交互の運動により、繰り返し可能であり、これにより、毛足２８の更なる部分は、第１及び第２髪受け領域５４４ａ、５４４ｂ内に押し込まれることが理解されるであろう。 
【０１１０】
上述した全ての実施形態において、生成される波の大きさ（サイズ）は、上記髪受け領域の大きさ（特に深さ）、特に、上記髪受け領域内に押し込まれる毛足の各部分の線形の範囲に依存することが理解されるであろう。大きな波を生成することが望ましいこともあるが、通常は、小さな波ほど、より美しいと考えられる。従って、波形の毛足内における一連の曲線間の実質的に線形である髪の部分は、上記髪の外観を良くすることに、殆ど貢献しない。それ故、発明者は、多数の小さな波を生成することのできる装置を提供することが好ましい。従って、発明者は、密に配置された小さな髪受け領域を有することにより、隣り合う曲線間における上記毛足の線形範囲を減少させる装置の提供を追求する。
【０１１１】
また、発明者は、上記スタイリング（ウェービング）工程中にヘアトリートメント製品を上記毛足に付けるために使用可能なヘアスタイリング装置の提供も追求する。上記ヘアトリートメント製品は、蒸気、上記毛足をコンディショニング若しくはトリートメントするための化学物質、または、これら双方の組み合わせであってもよい。上記毛足を室内に保持することは、とりわけ、ヘアトリートメント製品を追加するために有益であり、上記室が、実質的に連続した壁によって取り囲まれると、当該環境におけるヘアトリートメント製品の損失を最小限に抑えることが可能となる。
【０１１２】
特に好適な実施形態においては、例えば、加熱器（好適には、電熱器）を、上記室の１つ以上の壁内に組み入れることにより、上記室は、直接加熱される。ヘアトリートメント製品は、上記室に接続するポートを介して、付与することができる。特に、図１２〜図１８に示す第２実施形態に代替する態様においては、旋回軸ピン２６４は、蒸気、及び／または液化若しくは気化したヘアトリートメント製品の通路を、上記形成部材及び上記駆動部材内に形成可能な様に、部分的に中が空洞であってもよい。これらの部材は、上記蒸気または製品を、上記毛足に隣り合う室内に移行可能とするための出口用ポートを有する。旋回軸ピン２６４は、装置１０の主部若しくは柄部内の水及び／または選択されたヘアトリートメント製品のための容器と滑らかに連結するものとしてもよい。あるいは、基板２６２は、上記形成部材及び駆動部材が作動位置にある時にこれらの部材により覆われるポートを有するものとしてもよい。該ポートは、蒸気及び／またはヘアトリートメント製品を、その後に上記毛足に散布するために、上記形成部材及び駆動部材内に供給する様に、構成される。
【０１１３】
上記室内にポートを設けることは、ヘアトリートメント製品を用いることなく使用可能な様に設計された実施形態においてさえ、有益であり得る。具体的には、熱風は、理想的には収容された毛足に直接隣接する内部ポートを介して、上記室内に吹き付けられるものとしてもよい。上記熱風は、上記髪を加熱すると共に、上記スタイリング工程を迅速化する様に作用し、（好適には、上記熱風は、上記室の加熱された壁により与えられる熱に対して付加されるものであるが、）必要に応じて、上記毛足を加熱するための唯一の手段となり得る。
【０１１４】
上述の実施形態は、上記ユーザの髪に、実質的に一貫性のある波を生成するために使用することができる。代替的な波形は、上記形成部材及び／または上記駆動部材を（これらの作動位置において）非直線状の列に配置することにより、あるいは、必要に応じて、幾つかの上記形成部材及び上記駆動部材の形状及び／または横断面サイズ及び／または間隔を変更することにより、生成することができる。
【０１１５】
上記波形となった髪は、ウェービング工程の最後において、上記毛足をその近位端から引っ張ることにより、上記装置から容易に取り除き可能であることが理解されるであろう。しかしながら、上記髪がその除去処理中に張力を受ける場合、特に、上記髪が、形成された波に反して曲げられる場合に、上記形成された波の多くが損なわれることは好ましくない。このため、上記形成部材及び／または駆動部材を、これらの非作動位置へ戻してパネル２０を開くことにより、開口部２２を用いて、実質的に負荷を与えることなく、波形の毛足を上記装置から除去可能とすることが望ましい。
【０１１６】
好適な実施形態においては、上記装置は、上記駆動部材の移動、及び、例えば発熱体等の、上記装置の他の構成要素を、制御するための制御装置を有する。上記制御装置は、ヘアウェービング動作の継続時間を決定することができる様に、タイマーを有するものとしてもよい。すなわち、上記発熱体は、所定時間の経過後に停止（スイッチオフ）されると共に、視覚信号または音声信号が、上記ユーザに発せられて、上記室を開けて波形の毛足を取り出し可能である旨の通知を行う。
【０１１７】
上記装置の内、選択された構成要素は、上記制御装置が上記装置の動作を監視することができる様に、上記制御装置に対して、フィードバック信号を発するものとしてもよい。上述した様に、上記装置は、上記遮閉要素が閉じられたことを通知するためのセンサを設けるものとしてもよい。上記制御装置は、上記センサからの信号が受信された場合にのみ、上記駆動部材の移動を開始させるための信号を発する。他のフィードバック信号は、上記駆動部材を移動させるモータにより発せられるものとしてもよい。これにより、該モータに対する高い負荷が髪の絡まりを示す可能性がある、または、あまりに多くの髪が上記装置内に設置されたとの認識が為される。上記制御装置は、負荷の閾値を格納し、該閾値を超えた場合に、上記駆動部材の移動を停止（及び恐らく逆転）させるものとしてもよい。
【０１１８】
また、上記装置は、該装置内に設置された毛足の厚さを決定するための手段を有するものとしてもよい。上記制御装置は、幾つかのパラメータ（例えば、上記加熱器の温度、上記駆動部材の移動速度、及び動作期間）の設定値を格納すると共に、上記毛足の厚さに基づき、特定の毛足をウェービングするために使用される上記パラメータを決定するものとしてもよい。
【符号の説明】
【０１１９】
１０  ヘアスタイリング装置
１２  第１柄部
１４  第２柄部
１６  旋回軸ピン
１８  主部
２０  パネル
２２  開口部
２４  室
２６  案内路
２８  毛足
３０  導材
３２  ピン
３４  チャネル
４０ａ  第１形成部材
４０ｂ  第２形成部材
４２ａ  第１駆動部材
４２ｂ  第２駆動部材
４４ａ  第１髪受け領域
４４ｂ  第２髪受け領域
４６  髪入口チャネル
４８  近位端
５０  遠位端
１１０  装置
１１８  第１部分
１２０  第２部分
１２４  室
１４０  第１支柱
１４２  第２支柱
１４６  髪入口チャネル
１５２、１５４、１５６、１５８、１６０、１６２  壁
２４０ａ  第１形成部材
２４０ｂ  第２駆動部材
２４２ａ  第１駆動部材
２４２ｄ  第４駆動部材
２４４ａ  第１髪受け領域
２４６  髪入口チャネル
２６２  基板
２６４  旋回軸ピン
２６６ａ、２６６ｂ  側端部
３６８、３７２  腕部
３７０、３７４  旋回軸くい
４４０ａ  第１形成部材
４４０ｂ  第２形成部材
４４２  螺旋状部材
４４４ａ  第１髪受け領域
４４６  髪入口チャネル
４７６  軸
４７８  先端
４８０  終端
５４０ａ  第１形成部材
５４０ｂ  第２形成部材
５４０ｃ  第３形成部材
５４０ｄ  第４形成部材
５４２ａ  第１駆動部材
５４２ｂ  第２駆動部材
５４４ａ  第１髪受け領域
５４４ｂ  第２髪受け領域
５６２  基板
５７４ａ、５７４ｂ  旋回軸くい
６１８  第１部分
６２０  第２部分
６４０ａ  第１形成部材
６４０ｂ  第２形成部材
６４２ａ  第１駆動部材
６４２ｂ  第２駆動部材
６６２ａ、６６２ｂ  基板
【図１】
0006722115.tif 000002
【図２】
0006722115.tif 000003
【図３】
0006722115.tif 000004
【図４】
0006722115.tif 000005
【図５】
0006722115.tif 000006
【図６】
0006722115.tif 000007
【図７】
0006722115.tif 000008
【図８】
0006722115.tif 000009
【図９】
0006722115.tif 000010
【図１０】
0006722115.tif 000011
【図１１】
0006722115.tif 000012
【図１２】
0006722115.tif 000013
【図１３】
0006722115.tif 000014
【図１４】
0006722115.tif 000015
【図１５】
0006722115.tif 000016
【図１６】
0006722115.tif 000017
【図１７】
0006722115.tif 000018
【図１８】
0006722115.tif 000019
【図１９】
0006722115.tif 000020
【図２０】
0006722115.tif 000021
【図２１】
0006722115.tif 000022
【図２２】
0006722115.tif 000023
【図２３】
0006722115.tif 000024
【図２４】
0006722115.tif 000025
【図２５】
0006722115.tif 000026
【図２６】
0006722115.tif 000027
【図２７】
0006722115.tif 000028
【図２８】
0006722115.tif 000029
【図２９】
0006722115.tif 000030
【図３０】
0006722115.tif 000031
【図３１】
0006722115.tif 000032
【図３２】
0006722115.tif 000033
【図３３】
0006722115.tif 000034
【図３４】
0006722115.tif 000035